(57)【特許請求の範囲】
【請求項１】
携帯情報装置と通信可能な画像形成装置であって、
前記携帯情報装置が予め定められた複数の設置位置のいずれに位置するかを検出する位置検出手段と、
前記携帯情報装置からデータを受信するデータ受信手段と、
動作条件を設定する設定手段と、
前記設定手段により設定された動作条件に従って、前記受信されたデータに基づいて、用紙に画像を形成する画像形成制御手段と、を備え、
前記設定手段は、前記位置検出手段により検出された設置位置に対応して予め定められた動作条件を設定する位置基準設定手段を含む、画像形成装置。
【請求項２】
原稿を読み取り、画像データを出力する原稿読取手段をさらに備え、
前記位置基準設定手段は、前記位置検出手段により検出された位置が前記原稿読取手段の原稿が配置される位置の場合、前記携帯情報装置により表示されているページの画像を形成するための標示ページ印刷条件を動作条件として設定する、請求項１に記載の画像形成装置。
【請求項３】
原稿を読み取り、画像データを出力する原稿読取手段と、
前記携帯情報装置の表示面が向く方向であって重力方向に対する方向を前記携帯情報装置から取得する方向取得手段を、さらに備え、
前記位置基準設定手段は、前記位置検出手段により検出された位置が前記原稿読取手段の原稿が配置される位置であって、前記携帯情報装置から受信される方向が重力方向の場合は１回の画像形成動作をする単一印刷条件を動作条件として設定し、前記携帯情報装置から受信される方向が重力方向でない場合は複数の画像形成動作をする連続印刷条件を動作条件として設定し、
前記画像形成装置は、さらに、前記単一印刷条件に設定されている場合、前記携帯情報装置に送信要求信号を１回送信し、前記連続印刷条件に設定されている場合、前記送信要求信号を連続して複数送信する送信要求手段を備え、
前記データ受信手段は、前記送信要求信号の送信に応じて、前記携帯情報装置が送信するデータを受信し、
前記画像形成制御手段は、前記受信されたデータの画像を形成する、請求項１に記載の画像形成装置。
【請求項４】
前記携帯情報装置は、複数ページを含むデータのうちからユーザーにより選択されたページの画像を表示する表示手段と、
前記表示面が向く方向であって重力方向に対する方向を検出する方向検出手段と、
前記検出された方向を前記画像形成装置に送信する方向通知手段と、
前記画像形成装置から送信要求信号を受信する場合、前記複数ページのうち前記表示手段により表示されているページのデータを送信するページ単位送信手段と、
前記表示手段により表示されているページのデータを送信した後は、前記表示手段に表示されているページが切り換えられることを条件に、前記表示手段により表示されている切換後のページのデータを前記ページ単位送信手段に送信させる同期手段と、を備える請求項３に記載の画像形成装置。
【請求項５】
前記原稿読取手段は、開閉自在なカバーを有し、
前記画像形成制御手段は、前記携帯情報装置と通信可能な間は、前記カバーが開放されている場合であっても、用紙に画像を形成する、請求項２〜４のいずれかに記載の画像形成装置。
【請求項６】
前記原稿読取手段に原稿を搬送する原稿搬送手段をさらに備え、
前記位置基準設定手段は、前記位置検出手段により検出された位置が、前記原稿搬送手段の原稿が配置される位置の場合、前記携帯情報装置により表示されているページを含むすべてのページの画像を形成するための全ページ印刷条件を動作条件として設定する、請求項２〜５のいずれかに記載の画像形成装置。
【請求項７】
画像を形成するための用紙を供給する内部給紙手段と、
前記内部給紙手段とは別に設けられ、画像を形成するための用紙を供給する外部給紙手段と、をさらに備え、
前記位置基準設定手段は、前記位置検出手段により検出された位置が、前記外部給紙手段が用紙を蓄積する位置の場合、前記携帯情報装置により表示されているページの画像を、前記原稿読取手段が出力する画像データの画像と合成した合成データの画像を形成するためのオーバーレイ印刷条件を動作条件として設定し、
前記画像形成制御手段は、前記内部給紙手段により供給される用紙に画像を形成する、請求項２〜６のいずれかに記載の画像形成装置。
【請求項８】
前記画像形成制御手段により画像が形成された用紙を排紙する排紙手段を、さらに備え、
前記排紙手段は、挿入用用紙を前記画像形成制御手段による画像が形成された用紙に重ねて出力する用紙挿入手段を含み、
前記位置基準設定手段は、前記位置検出手段により検出された位置が、前記用紙挿入手段が挿入用用紙を蓄積する位置の場合、前記携帯情報装置により表示されているページの画像が形成された用紙に、前記原稿読取手段が出力する画像データの画像が形成された用紙を重ねて排紙するための差込印刷条件を動作条件として設定する、請求項２〜７のいずれかに記載の画像形成装置。
【請求項９】
前記設定手段は、前記位置基準設定手段により設定された動作条件を、ユーザーによる操作に従って変更する変更手段を含む、請求項１〜８のいずれかに記載の画像形成装置。
【請求項１０】
携帯情報装置と通信可能な画像形成装置で実行される画像形成方法であって、
前記携帯情報装置が予め定められた複数の設置位置のいずれに位置するかを検出するステップと、
前記携帯情報装置からデータを受信するステップと、
動作条件を設定するステップと、
前記設定するステップにおいて設定された動作条件に従って、前記受信されたデータに基づいて、用紙に画像を形成するステップと、を含み、
前記設定するステップは、前記位置を検出するステップにおいて検出された設置位置に対応して予め定められた動作条件を設定するステップを含む、画像形成方法。
【請求項１１】
携帯情報装置と通信可能な画像形成装置を制御するコンピュータで実行される画像形成プログラムであって、
前記携帯情報装置が予め定められた複数の設置位置のいずれに位置するかを検出するステップと、
前記携帯情報装置からデータを受信するステップと、
動作条件を設定するステップと、
前記設定するステップにおいて設定された動作条件に従って、前記受信されたデータに基づいて、用紙に画像を形成するステップと、を前記コンピュータに実行させ、
前記設定するステップは、前記位置を検出するステップにおいて検出された設置位置に対応して予め定められた動作条件を設定するステップを含む、画像形成プログラム。
【請求項１２】
画像形成装置と、前記画像形成装置と通信可能な携帯情報装置とを含む画像形成システムであって、
前記携帯情報装置は、複数ページを含むデータのうちからユーザーにより選択されたページの画像を表示する表示手段と、
前記表示手段の表示面が向く方向であって重力方向に対する方向を検出する方向検出手段と、
前記検出された方向を前記画像形成装置に送信する方向通知手段と、
前記画像形成装置から送信要求信号を受信する場合、前記複数ページのうち前記表示手段により表示されているページのデータを送信するページ単位送信手段と、
前記表示手段により表示されているページのデータを送信した後は、前記表示手段に表示されているページが切り換えられることを条件に、前記表示手段により表示されている切換後のページのデータを前記ページ単位送信手段に送信させる同期手段と、を備え、
前記画像形成装置は、前記携帯情報装置から受信される方向が重力方向の場合、１回の画像形成動作をする単一印刷条件を動作条件として設定し、前記携帯情報装置から受信される方向が重力方向でない場合、複数の画像形成動作をする連続印刷条件を動作条件として設定する印刷条件設定手段と、
前記単一印刷条件に設定されている場合、前記携帯情報装置に前記送信要求信号を１回送信し、前記連続印刷条件に設定されている場合、複数の送信要求信号を連続して送信する送信要求手段と、
前記送信要求信号の送信に応じて、前記携帯情報装置が送信するデータを受信するデータ受信手段と、
前記受信されたデータの画像を形成する画像形成制御手段と、を備えた、画像形成システム。
【請求項１３】
前記画像形成装置は、さらに、開閉自在なカバーを有し、原稿を読み取り、画像データを出力する原稿読取手段を、さらに備え、
前記画像形成制御手段は、前記携帯情報装置が前記原稿読取手段の原稿が配置される位置に配置されている場合、前記携帯情報装置と通信可能な間は、前記カバーが開放されている場合であっても、用紙に画像を形成する、請求項１２に記載の画像形成システム。
【発明の詳細な説明】
【技術分野】
【０００１】
この発明は、画像形成装置、画像形成方法、画像形成プログラムおよび画像形成システムに関し、特に、携帯情報装置と通信可能な画像形成装置、その画像形成装置で実行される画像形成方法および画像形成プログラム、および携帯情報装置と画像形成装置とを含む画像形成システムに関する。
【背景技術】
【０００２】
近年、電子ペーパー等のＰＤＡ（Ｐｅｒｓｏｎａｌ  Ｄｉｇｉｔａｌ  Ａｓｓｉｓｔａｎｔs）またはスマートホン等の携帯情報装置は、電子化された文書を記憶可能であり、時と場所を選ばず、文書を閲覧したり、編集したりできる。さらに、携帯情報装置に記憶された文書を画像形成装置等の外部装置に無線で送信し、外部装置で印刷または記憶等の処理を実行させることができる。しかしながら、外部装置で印刷するための印刷条件を、外部装置で設定しなければならないといった問題がある。
【０００３】
また、特開２０１０−２１２７４３号公報（特許文献１）には、原稿台に載置される情報表示媒体に表示された画像を特定するための情報を取得する取得手段と、前記取得手段が取得した情報に基づいて、前記画像に対応する画像データを当該画像データが保存された記憶装置から読み出す読出手段と、前記原稿台に載置される情報表示媒体のサイズを検知する検知手段と、前記読出手段によって読み出された画像データを、前記検知手段によって検知された前記情報表示媒体のサイズに基づいて印刷する印刷手段とを備えることを特徴とする画像処理装置が記載されている。
【０００４】
しかしながら、従来の画像処理装置は、情報表示媒体のサイズに基づいて印刷されるので、ユーザーは、印刷条件を設定する必要はないが、情報表示媒体のサイズに基づく印刷条件とは異なる印刷条件で印刷することができないといった問題があった。
【特許文献１】特開２０１０−２１２７４３号公報
【発明の概要】
【発明が解決しようとする課題】
【０００５】
この発明は上述した問題点を解決するためになされたもので、この発明の目的の一つは、動作条件の設定を容易にした画像形成装置を提供することである。
【０００６】
この発明の他の目的は、動作条件の設定を容易にした画像形成方法を提供することである。
【０００７】
この発明のさらに他の目的は、動作条件の設定を容易にした画像形成プログラムを提供することである。
【０００８】
この発明のさらに他の目的は、動作条件の設定を容易にした画像形成システムを提供することである。
【課題を解決するための手段】
【０００９】
上述した目的を達成するためにこの発明のある局面によれば、画像形成装置は、携帯情報装置と通信可能な画像形成装置であって、携帯情報装置が予め定められた複数の設置位置のいずれに位置するかを検出する位置検出手段と、携帯情報装置からデータを受信するデータ受信手段と、動作条件を設定する設定手段と、設定手段により設定された動作条件に従って、受信されたデータに基づいて、用紙に画像を形成する画像形成制御手段と、を備え、設定手段は、位置検出手段により検出された設置位置に対応して予め定められた動作条件を設定する位置基準設定手段を含む。
【００１０】
この局面に従えば、携帯情報装置が予め定められた複数の設置位置のいずれに位置するかが検出され、検出された設置位置に対応して予め定められた動作条件が設定され、設定された動作条件に従って、携帯情報装置から受信されたデータに基づいて、用紙に画像が形成される。携帯情報装置に記憶されたデータを画像形成する際の動作条件を、形態情報装置が設置される位置に応じた動作条件に設定することができる。その結果、動作条件の設定を容易にした画像形成装置を提供することができる。
【００１１】
好ましくは、原稿を読み取り、画像データを出力する原稿読取手段をさらに備え、位置基準設定手段は、位置検出手段により検出された位置が原稿読取手段の原稿が配置される位置の場合、携帯情報装置により表示されているページの画像を形成するための標示ページ印刷条件を動作条件として設定する  原稿を読み取り、画像データを出力する原稿読取手段をさらに備え、位置基準設定手段は、位置検出手段により検出された位置が原稿読取手段の原稿が配置される位置の場合、携帯情報装置により表示されているページの画像を形成するための印刷条件を設定する。
【００１２】
この局面に従えば、携帯情報装置が原稿読取手段の原稿が配置される位置に置かれる場合、携帯情報装置により表示されているページの画像を形成するための表示ページ印刷条件が設定される。このため、原稿を複写させる動作と同じ動作で、携帯情報装置に表示されたページの画像を形成するための動作条件を設定することができる。
【００１３】
好ましくは、原稿を読み取り、画像データを出力する原稿読取手段と、携帯情報装置の表示面が向く方向であって重力方向に対する方向を携帯情報装置から取得する方向取得手段を、さらに備え、位置基準設定手段は、位置検出手段により検出された位置が原稿読取手段の原稿が配置される位置であって、携帯情報装置から受信される方向が重力方向の場合は１回の画像形成動作をする単一印刷条件を動作条件として設定し、携帯情報装置から受信される方向が重力方向でない場合は複数の画像形成動作をする連続印刷条件を動作条件として設定し、画像形成装置は、さらに、単一印刷条件に設定されている場合、携帯情報装置に送信要求信号を１回送信し、連続印刷条件に設定されている場合、送信要求信号を連続して複数送信する送信要求手段を備え、データ受信手段は、送信要求信号の送信に応じて、携帯情報装置が送信するデータを受信し、画像形成制御手段は、受信されたデータの画像を形成する。
【００１４】
この局面に従えば、携帯情報装置が原稿読取手段の原稿が配置される位置に置かれ、かつ、携帯情報装置の表示面が重力方向に向く場合に、１回の画像形成動作をする単一印刷条件が設定され、携帯情報装置の表示面が重力方向を向かない場合に、複数の画像形成動作をする連続印刷条件を設定される。このため、携帯情報装置を、その表示面を下方に向けて置く操作は、１枚の原稿を複写する場合における操作と同様の操作となる。このため、１枚の原稿を複写する操作と同様の操作で、携帯情報装置に表示されたページの画像を形成することができる。また、携帯情報装置を、その表示面を上方に向けて置く場合には、携帯情報装置に表示されたページの画像を複数回形成することができる。
【００１５】
好ましくは、携帯情報装置は、複数ページを含むデータのうちからユーザーにより選択されたページの画像を表示する表示手段と、表示面が向く方向であって重力方向に対する方向を検出する方向検出手段と、検出された方向を画像形成装置に送信する方向通知手段と、画像形成装置から送信要求信号を受信する場合、複数ページのうち表示手段により表示されているページのデータを送信するページ単位送信手段と、表示手段により表示されているページのデータを送信した後は、表示手段に表示されているページが切り換えられることを条件に、表示手段により表示されている切換後のページのデータをページ単位送信手段に送信させる同期手段と、を備える。
【００１６】
この局面に従えば、画像形成装置から送信要求信号を受信する場合、複数ページのうち表示されているページのデータを送信するが、表示されているページのデータを送信した後は、表示されているページが切り換えられることを条件に、切換後のページのデータを送信する。このため、携帯情報装置に表示されるページを切り換えるごとに、切り換え後に表示されるページの画像が形成されるので、複数のページの画像を形成する操作を容易にすることができる。
【００１７】
好ましくは、原稿読取手段は、開閉自在なカバーを有し、画像形成制御手段は、携帯情報装置と通信可能な間は、カバーが開放されている場合であっても、用紙に画像を形成する。
【００１８】
この局面に従えば、カバーを開いた状態で、画像を形成させることができる。
【００１９】
好ましくは、原稿読取手段に原稿を搬送する原稿搬送手段をさらに備え、位置基準設定手段は、位置検出手段により検出された位置が、原稿搬送手段の原稿が配置される位置の場合、携帯情報装置により表示されているページを含むすべてのページの画像を形成するための全ページ印刷条件を動作条件として設定する。
【００２０】
この局面に従えば、携帯情報装置が原稿搬送手段の原稿が配置される位置に置かれる場合、携帯情報装置により表示されているページを含むすべてのページの画像を形成するための全ページ印刷条件が設定される。携帯情報装置を原稿搬送手段の原稿が配置される位置に置く操作は、複数の原稿を複写する際に複数の原稿を置く操作と同様の操作となる。このため、複数の原稿を複写するのと同様の操作で、携帯情報装置に表示されたページを含むデータのすべてのページの画像を形成することができる。
【００２１】
好ましくは、画像を形成するための用紙を供給する内部給紙手段と、内部給紙手段とは別に設けられ、画像を形成するための用紙を供給する外部給紙手段と、をさらに備え、位置基準設定手段は、位置検出手段により検出された位置が、外部給紙手段が用紙を蓄積する位置の場合、携帯情報装置により表示されているページの画像を、原稿読取手段が出力する画像データの画像と合成した合成データの画像を形成するためのオーバーレイ印刷条件を動作条件として設定し、画像形成制御手段は、内部給紙手段により供給される用紙に画像を形成する。
【００２２】
この局面に従えば、携帯情報装置が、外部給紙手段が用紙を蓄積する位置に置かれる場合、携帯情報装置により表示されているページの画像を原稿読取手段が出力する画像データの画像と合成した合成データの画像を形成するためのオーバーレイ印刷条件が設定される。携帯情報装置を外部給紙手段が用紙を蓄積する位置に置く操作は、画像が形成された用紙を置く操作と同様の操作となる。このため、画像が形成された用紙を置く操作と同様の操作で、携帯情報装置に表示されたページの画像を原稿の画像と合成した画像を形成することができる。
【００２３】
好ましくは、画像形成制御手段により画像が形成された用紙を排紙する排紙手段を、さらに備え、排紙手段は、挿入用用紙を画像形成制御手段による画像が形成された用紙に重ねて出力する用紙挿入手段を含み、位置基準設定手段は、位置検出手段により検出された位置が、用紙挿入手段が挿入用用紙を蓄積する位置の場合、携帯情報装置により表示されているページの画像が形成された用紙に、原稿読取手段が出力する画像データの画像が形成された用紙を重ねて排紙するための差込印刷条件を動作条件として設定する。
【００２４】
この局面に従えば、携帯情報装置が、用紙挿入手段が挿入用用紙を蓄積する位置に置かれる場合、携帯情報装置により表示されているページの画像を形成した用紙を、原稿読取手段が出力する画像データの画像が形成された用紙と重ねて排紙する差込印刷条件が設定される。携帯情報装置を用紙挿入手段が挿入用用紙を蓄積する位置に置く操作は、差込のための用紙を置く操作と同様の操作となる。このため、差込のための用紙を置く操作と同様の操作で、携帯情報装置に表示されたページの画像が形成された用紙を、原稿の画像が形成された用紙と重ねて排紙することができる。
【００２５】
好ましくは、設定手段は、位置基準設定手段により設定された動作条件を、ユーザーによる操作に従って変更する変更手段を含む。
【００２６】
この発明の他の局面に従えば、画像形成方法は、携帯情報装置と通信可能な画像形成装置で実行される画像形成方法であって、携帯情報装置が予め定められた複数の設置位置のいずれに位置するかを検出するステップと、携帯情報装置からデータを受信するステップと、動作条件を設定するステップと、設定するステップにおいて設定された動作条件に従って、受信されたデータに基づいて、用紙に画像を形成するステップと、を含み、設定するステップは、位置を検出するステップにおいて検出された設置位置に対応して予め定められた動作条件を設定するステップを含む。
【００２７】
この局面に従えば、動作条件の設定を容易にした画像形成方法を提供することができる。
【００２８】
この発明のさらに他の局面によれば、画像形成プログラムは、携帯情報装置と通信可能な画像形成装置を制御するコンピュータで実行される画像形成プログラムであって、携帯情報装置が予め定められた複数の設置位置のいずれに位置するかを検出するステップと、携帯情報装置からデータを受信するステップと、動作条件を設定するステップと、設定するステップにおいて設定された動作条件に従って、受信されたデータに基づいて、用紙に画像を形成するステップと、をコンピュータに実行させ、設定するステップは、位置を検出するステップにおいて検出された設置位置に対応して予め定められた動作条件を設定するステップを含む。
【００２９】
この局面に従えば、動作条件の設定を容易にした画像形成プログラムを提供することができる。
【００３０】
この発明のさらに他の局面によれば、画像形成システムは、画像形成装置と、画像形成装置と通信可能な携帯情報装置とを含む画像形成システムであって、携帯情報装置は、複数ページを含むデータのうちからユーザーにより選択されたページの画像を表示する表示手段と、表示手段の表示面が向く方向であって重力方向に対する方向を検出する方向検出手段と、検出された方向を画像形成装置に送信する方向通知手段と、画像形成装置から送信要求信号を受信する場合、複数ページのうち表示手段により表示されているページのデータを送信するページ単位送信手段と、表示手段により表示されているページのデータを送信した後は、表示手段に表示されているページが切り換えられることを条件に、表示手段により表示されている切換後のページのデータをページ単位送信手段に送信させる同期手段と、を備え、画像形成装置は、携帯情報装置から受信される方向が重力方向の場合、１回の画像形成動作をする単一印刷条件を動作条件として設定し、携帯情報装置から受信される方向が重力方向でない場合、複数の画像形成動作をする連続印刷条件を動作条件として設定する印刷条件設定手段と、単一印刷条件に設定されている場合、携帯情報装置に送信要求信号を１回送信し、連続印刷条件に設定されている場合、複数の送信要求信号を連続して送信する送信要求手段と、送信要求信号の送信に応じて、携帯情報装置が送信するデータを受信するデータ受信手段と、受信されたデータの画像を形成する画像形成制御手段と、を備える。
【００３１】
この局面に従えば、画像形成装置は、携帯情報装置の表示面が重力方向に向く場合に、１回の画像形成動作をする単一印刷条件が設定され、携帯情報装置の表示面が重力方向を向かない場合に、複数の画像形成動作をする連続印刷条件を設定される。一方、携帯情報装置は、画像形成装置から送信要求信号を受信する場合、複数ページのうち表示されているページのデータを送信するが、表示されているページのデータを送信した後は、表示されているページが切り換えられることを条件に、切換後のページのデータを送信する。携帯情報装置を、その表示面を下方に向けて置く場合には、１枚の原稿を複写するのと同様の操作となる。このため、１枚の原稿を複写するのと同様の操作で、携帯情報装置に表示されたページの画像を形成することができる。携帯情報装置を、その表示面を上方に向けて置く場合には、携帯情報装置に表示されるページを切り換えるごとに、切り換え後に表示されるページの画像が画像形成装置により形成される。このため、複数のページの画像を形成する操作を容易にすることができる。その結果、動作条件の設定を容易にした画像形成システムを提供することができる。
【００３２】
好ましくは、画像形成装置は、さらに、開閉自在なカバーを有し、原稿を読み取り、画像データを出力する原稿読取手段を、さらに備え、画像形成制御手段は、携帯情報装置が原稿読取手段の原稿が配置される位置に配置されている場合、携帯情報装置と通信可能な間は、カバーが開放されている場合であっても、用紙に画像を形成する。
【００３３】
この局面に従えば、カバーを開いた状態で、画像を形成させることができる。
【図面の簡単な説明】
【００３４】
【図１】本発明の実施の形態におけるプリントシステムの全体概要を示す図である。
【図２】ＭＦＰの外観を示す斜視図である。
【図３】ＭＦＰのハードウエア構成の一例を示すブロック図である。
【図４】携帯情報装置のハードウエア構成の概要を示すブロック図である。
【図５】ＭＦＰが備えるＣＰＵの機能の一例を示すブロック図である。
【図６】携帯情報装置が備えるＣＰＵが有する機能の一例を示す図である。
【図７】画像形成処理の流れの一例を示す第１のフローチャートである。
【図８】画像形成処理の流れの一例を示す第２のフローチャートである。
【図９】画像形成処理の流れの一例を示す第３のフローチャートである。
【図１０】連携処理の流れの一例を示すフローチャートである。
【発明を実施するための形態】
【００３５】
以下、本発明の実施の形態について図面を参照して説明する。以下の説明では同一の部品には同一の符号を付してある。それらの名称および機能も同じである。したがってそれらについての詳細な説明は繰り返さない。
【００３６】
図１は、本発明の実施の形態におけるプリントシステムの全体概要を示す図である。図１を参照して、プリントシステム１は、それぞれがネットワーク３に接続された複合機（以下、「ＭＦＰ」という）１００，１００Ａ，１００Ｂと、パーソナルコンピュータ（以下「ＰＣ」という）４００，４０１，４０２と、携帯情報装置２００と、無線局５を含む。
【００３７】
なお、図ではネットワーク３に、画像形成装置として３台のＭＦＰ（Ｍｕｌｔｉ  Ｆｕｎｃｔｉｏｎ  Ｐｅｒｉｐｈｅｒａｌ）１００，１００Ａ，１００Ｂが接続される例を示しているが、ＭＦＰの数はこれに限定されるものではなく、１台以上であればよい。また、ＭＦＰ１００，１００Ａ，１００Ｂに代えて、画像を形成する機能を備えた装置であれば、例えば、ファクシミリ、プリンタ等であってもよい。
【００３８】
ネットワーク３は、ローカルエリアネットワーク（ＬＡＮ）であり、接続形態は有線または無線を問わない。またネットワーク３は、ＬＡＮに限らず、公衆交換電話網（Ｐｕｂｌｉｃ  Ｓｗｉｔｃｈｅｄ  Ｔｅｌｅｐｈｏｎｅ  Ｎｅｔｗｏｒｋｓ）を用いたネットワーク等であってもよい。さらに、ネットワーク３は、インターネットなどのワイドエリアネットワーク（ＷＡＮ）に接続されている。このため、ＭＦＰ１００，１００Ａ，１００ＣおよびＰＣ４００〜４０２各々は、ネットワーク３を介して互いに通信可能であり、インターネットに接続されたコンピュータと通信可能である。また、ネットワーク３は、インターネットに接続されている。このため、ＭＦＰ１００，１００Ａ，１００ＢおよびＰＣ４００〜４０２それぞれは、インターネットに接続されたサーバーと通信が可能である。
【００３９】
携帯情報装置２００は、電子ペーパー等、または、スマートホンなどの通信機能を備えたＰＤＡである。ここでは、携帯情報装置２００を、スマートホンとする場合を例に説明する。携帯情報装置２００は、携帯電話用基地局と無線で通信することにより携帯電話網に接続し、通話が可能である。また、携帯情報装置２００は、無線ＬＡＮ機能を備えている。
【００４０】
ネットワーク３には無線局５がさらに接続される。無線局５は、ネットワーク３の中継装置であり、無線ＬＡＮ通信機能を備えた携帯情報装置２００と通信して、携帯情報装置２００をネットワーク３に接続する。このため、携帯情報装置２００は、ネットワーク３に接続された、ＭＦＰ１００，１００Ａ，１００Ｂとデータの送受信が可能である。
【００４１】
ＰＣ４００〜４０２は、一般的なコンピュータである。ＰＣ４００〜４０２各々は、ユーザーにより使用され、アプリケーションプログラムを実行することにより、アプリケーションデータを生成する。アプリケーションプログラムは、文書を編集する文書編集プログラム、画像を編集する画像編集プログラム、表示データを編集する表データ編集プログラム、データベースを生成するデータベース生成プログラム、インターネットブラウザプログラムを、含む。
【００４２】
本実施の形態におけるプリントシステム１においては、携帯情報装置２００は、それに記憶されたデータを、ＭＦＰ１００，１００Ａ，１００Ｂのいずれかに送信し、ＭＦＰ１００，１００Ａ，１００Ｂのいずれかにデータの画像を形成させることができる。携帯情報装置２００が記憶するデータは、ＰＣ４００〜４０２からダウンロードしたアプリケーションデータであってもよいし、携帯情報装置２００にインターネットブラウザプログラムがインストールされている場合には、インターネットに接続されたサーバーからダウンロードしたＷｅｂデータであってもよい。Ｗｅｂデータは、マークアップ言語で記述されたデータである。この場合、携帯情報装置２００に、ＭＦＰ１００，１００Ａ，１００Ｂそれぞれを制御するためのドライバプログラムがインストールされていてもよい。この場合には、携帯情報装置２００は、ＭＦＰ１００，１００Ａ，１００Ｂに、アプリケーションデータまたはＷｅｂデータを変換したプリントデータを送信する。また、ＭＦＰ１００，１００Ａ，１００ＢそれぞれにアプリケーションデータまたはＷｅｂデータを解釈可能なアプリケーションプログラムがインストールされている場合には、携帯情報装置２００はＭＦＰ１００，１００Ａ，１００Ｂに、アプリケーションデータまたはＷｅｂデータを送信する。
【００４３】
ＭＦＰ１００，１００Ａ，１００Ｂは、ハードウエア構成は同じであってもよく異なっていてもよいが、少なくとも画像データに基づいて紙などの用紙に画像を形成するための画像形成部を備えている。ＭＦＰ１００，１００Ａ，１００Ｂ各々が有するハードウエア構成は同じではない場合があるが、ここではＭＦＰ１００が、他のＭＦＰ１００Ａ，１００Ｂの少なくとも１つが有する構成を有している場合を例に説明する。
【００４４】
図２は、ＭＦＰの外観を示す斜視図である。図２を参照して、ＭＦＰ１００は、自動原稿搬送装置（以下「ＡＤＦ」という）１０と、画像読取部２０と、画像形成部３０と、給紙部４０と、後処理部４５と、操作パネル９と、を含む。
【００４５】
ＡＤＦ１０は、原稿給紙トレイ１１上にユーザーによりセットされた複数枚の原稿を１枚ずつ自動的に画像読取部２０のプラテンガラス上に設定された所定の原稿読取位置まで搬送し、画像読取部２０により原稿画像が読み取られた原稿を原稿排紙トレイ上に排出する。ＡＤＦ１０は、原稿給紙トレイ１１の近傍に配置されたセンサー１１Ａを有し、センサー１１Ａは、原稿給紙トレイ１１に携帯情報装置２００が載置されたことを検出する。
【００４６】
ＡＤＦ１０は、画像読取部２０の上側に開閉自在に設置される。画像読取部２０は原稿を載置可能なプラテンガラスを有し、ＡＤＦ１０が開状態のときに、プラテンガラスが露出する。ユーザーは、ＡＤＦ１０が開状態のときに、プラテンガラス上に原稿を載置することができる。
【００４７】
画像読取部２０は、プラテンガラス上にユーザーにより画像が形成された面を下向きにして載置された原稿、または、ＡＤＦ１０により原稿読取位置に搬送されてきた原稿に光を照射する光源と、原稿で反射した光を受光する光電変換素子とを含み、原稿のサイズに応じた原稿画像を走査する。光電変換素子は、受光した光を電気信号である画像データに変換して、画像形成部３０に出力する。画像読取部２０は、プラテンガラスの近傍に配置されたセンサー２０Ａを有し、センサー２０Ａは、プラテンガラス上に携帯情報装置２００が載置されたことを検出する。
【００４８】
給紙部４０は、用紙を蓄積する３つの給紙トレイ４３Ａ、４３Ｂ，４３Ｂと、ユーザーにより用紙が載置された用紙を蓄積する手差トレイ４１と、を含む。給紙部４０は、給紙トレイ４３Ａ、４３Ｂ，４３Ｂ、および手差トレイ４１のうち、印刷条件により定まるものに蓄積された用紙を、１枚ずつ搬送し、画像形成部３０に供給する。ここでは、給紙部４０が給紙トレイ４３Ａ、４３Ｂ，４３Ｂのうち印刷条件により定まるものに蓄積された用紙を、１枚ずつ搬送し、画像形成部３０に供給する機能を内部供給機能といい、給紙部４０が手差トレイ４１に蓄積された用紙を、１枚ずつ搬送し、画像形成部３０に供給する機能を外部供給機能という。給紙部４０は、手差トレイ４１の近傍に配置されたセンサー４１Ａを有し、センサー４１Ａは手差トレイ４１に携帯情報装置２００が載置されたことを検出する。
【００４９】
画像形成部３０は、周知の電子写真方式により画像を形成するものであって、外部から受信された画像データ、または、画像読取部２０から入力される画像データにシェーディング補正などの各種のデータ処理を施し、データ処理後の画像データ、または外部から受信されるプリントデータに基づいて、給紙部４０により搬送される用紙に画像を形成する。
【００５０】
後処理部４５は、画像形成部３０から画像が形成された用紙が供給され、画像形成部３０から供給される１以上の用紙を１つの束にまとめ、所定の処理を実行し、排紙する。後処理部４５は、差込ユニット、パンチユニット、ソートユニット、ステープルユニット、折り処理ユニット、断裁ユニットを備える。後処理部４５は、ＰＩ（ポストインサータ）トレイ５１と、ＰＩトレイ４７の近傍に配置されたセンサー４７Ａと、を備える。ＰＩトレイ４７は、ユーザーにより載置された用紙を蓄積する。センサー４７Ａは、ＰＩトレイ４７に携帯情報装置２００が載置されたことを検出する。
【００５１】
差込ユニットは、画像形成部３０から供給される１以上の用紙のうち印刷条件で定まる順番の用紙の後に、ＰＩトレイ４７に蓄積された用紙を挿入し、１つの束にまとめる。パンチユニットは、１以上の用紙の束をまとめてパンチ穴を開ける処理を実行する。ソートユニットは、画像形成部３０から順に供給される用紙を、複数の束に分類する。ステープルユニットは、１以上の用紙の束をまとめてステープル針を打ち込む処理を実行する。折り処理ユニットは、１以上の用紙の束をまとめて折り曲げる処理を実行する。断裁ユニットは、１以上の用紙の束をまとめて切断する処理を実行する。
【００５２】
センサー１１Ａ、２０Ａ，４１Ａ，４７Ａは、例えば、近接センサーである。近接センサーは、誘導形、静電容量形、超音波形、光電形、磁気形のいずれを用いてもよい。センサー１１Ａ、２０Ａ，４１Ａ，４７Ａそれぞれは、携帯情報装置２００を検出する場合にＯＮ信号を出力し、携帯情報装置２００を検出していない場合にＯＦＦ信号を出力する。
【００５３】
図３は、ＭＦＰのハードウエア構成の一例を示すブロック図である。図３を参照して、ＭＦＰ１００は、メイン回路１０１と、ファクシミリ部１２２と、通信制御部１２３と、を含む。メイン回路１０１は、自動原稿搬送装置（ＡＤＦ）１０と、画像読取部２０と、画像形成部３０と、給紙部４０と、後処理部４５と、センサー１１Ａ，２０Ａ，４１Ａ，４７Ａと、に接続されている。
【００５４】
メイン回路１０１は、中央演算装置（ＣＰＵ）１１１と、ＣＰＵ１１１の作業領域として使用されるＲＡＭ（Ｒａｎｄｏｍ  Ａｃｃｅｓｓ  Ｍｅｍｏｒｙ）１１２と、ＣＰＵ１１１が実行するプログラム等を記憶するためのＲＯＭ（Ｒｅａｄ  Ｏｎｌｙ  Ｍｅｍｏｒｙ）１１３と、表示部１１４と、操作部１１５と、大容量記憶装置としてのハードディスクドライブ（ＨＤＤ）１１６と、データ通信制御部１１７と、外部記憶装置１１８と、ＧＰＳセンサー１１９と、を含む。
【００５５】
ＣＰＵ１１１は、ＲＡＭ１１２、ＲＯＭ１１３、表示部１１４、操作部１１５、ＨＤＤ１１６、データ通信制御部１１７、外部記憶装置１１８およびＧＰＳセンサー１１９とそれぞれ接続され、メイン回路１０１の全体を制御する。また、ＣＰＵ１１１は、ファクシミリ部１２２、通信制御部１２３、ＡＤＦ１０、画像読取部２０、画像形成部３０、給紙部４０、後処理部４５と接続され、ＭＦＰ１００の全体を制御する。
【００５６】
表示部１１４は、液晶表示装置（ＬＣＤ）、有機ＥＬＤ（Ｅｌｅｃｔｒｏ  Ｌｕｍｉｎｅｓｃｅｎｃｅ  Ｄｉｓｐｌａｙ）等の表示装置であり、ユーザーに対する指示メニューや取得した画像データに関する情報等を表示する。操作部１１５は、複数のキーを備え、キーに対応するユーザーの操作による各種の指示、文字、数字などのデータの入力を受け付ける。操作部１１５は、表示部１１４の表示面に設けられ、表示面中でユーザーにより指示された位置を検出するタッチパネルを含む。
【００５７】
データ通信制御部１１７は、ＭＦＰ１００をネットワーク３に接続するためのインターフェースである。ＣＰＵ１１１は、データ通信制御部１１７を介して、携帯情報装置２００、他のＭＦＰ１００Ａ，１００ＢおよびＰＣ４００〜４０２との間で通信し、データを送受信する。さらに、データ通信制御部１１７は、ネットワーク３を介してインターネットに接続された他のコンピュータと通信し、データを送受信可能である。
【００５８】
外部記憶装置１１８は、ＣＤ−ＲＯＭ１１８Ａが装着される。ＣＰＵ１１１は、外部記憶装置１１８を介してＣＤ−ＲＯＭ１１８Ａにアクセス可能である。ＣＰＵ１１１は、外部記憶装置１１８に装着されたＣＤ−ＲＯＭ１１８Ａに記録されたプログラムをＲＡＭ１１２にロードして実行する。なお、ＣＰＵ１１１が実行するプログラムは、ＣＤ−ＲＯＭ１１８Ａに記録されたプログラムに限られず、ＨＤＤ１１６に記憶されたプログラムをＲＡＭ１１２にロードして実行するようにしてもよい。この場合、ネットワーク３に接続された他のコンピュータが、ＭＦＰ１００のＨＤＤ１１６に記憶されたプログラムを書き換える、または、新たなプログラムを追加して書き込むようにしてもよい。さらに、ＭＦＰ１００が、ネットワーク３に接続された他のコンピュータからプログラムをダウンロードして、そのプログラムをＨＤＤ１１６に記憶するようにしてもよい。ここでいうプログラムは、ＣＰＵ１１１が直接実行可能なプログラムだけでなく、ソースプログラム、圧縮処理されたプログラム、暗号化されたプログラム等を含む。
【００５９】
通信制御部１２３は、ＣＰＵ１１１をＰＳＴＮ７に接続するためのモデムである。ＭＦＰ１００には、ＰＳＴＮ７における電話番号が予め割り当てられており、ＰＳＴＮ７に接続されたファクシミリ装置からＭＦＰ１００に割り当てられた電話番号に発呼があると、通信制御部１２３がその発呼を検出する。通信制御部１２３は、発呼を検出すると通話を確立し、ファクシミリ部１２２に通信させる。
【００６０】
ファクシミリ部１２２は、ＰＳＴＮ７に接続され、ＰＳＴＮ７にファクシミリデータを送信する、またはＰＳＴＮ７からファクシミリデータを受信する。ファクシミリ部１２２は、受信したファクシミリデータを、ＨＤＤ１１６に記憶するとともに、画像形成部３０でプリント可能なプリントデータに変換して、画像形成部３０に出力する。これにより、画像形成部３０は、ファクシミリ部１２２により受信されたファクシミリデータを用紙にプリントする。また、ファクシミリ部１２２は、ＨＤＤ１１６に記憶されたデータをファクシミリデータに変換して、ＰＳＴＮ７に接続されたファクシミリ装置に送信する。
【００６１】
ＧＰＳセンサー１１９は、ＧＰＳ（Ｇｌｏｂａｌ  Ｐｏｓｉｔｉｏｎｉｎｇ  Ｓｙｓｔｅｍ）衛星から受信される電波に基づいて、ＭＦＰ１００の現在位置を検出する。ＧＰＳセンサー１１９は、検出した現在位置を示す位置情報をＣＰＵ１１１に出力する。
【００６２】
図４は、携帯情報装置のハードウエア構成の概要を示すブロック図である。図４を参照して、携帯情報装置２００は、携帯情報装置２００の全体を制御するためのＣＰＵ２１１と、カメラ２１２と、データを不揮発的に記憶するフラッシュメモリ２１３と、通話部２１５と接続された無線通信部２１４と、情報を表示する表示部２１６と、ユーザーの操作の入力を受け付ける操作部２１７と、無線ＬＡＮインターフェース（Ｉ／Ｆ）２１８と、ＧＰＳセンサー２１９と、傾き検出センサー２２１と、を含む。
【００６３】
無線通信部２１４は、電話通信網に接続された携帯電話用基地局と無線通信する。無線通信部２１４は、携帯情報装置２００を電話通信網に接続し、通話部２１５を用いた通話を可能とする。無線通信部２１４は、携帯電話用基地局から受信した無線信号を復調した音声信号を復号して通話部２１５に出力する。また、無線通信部２１４は、通話部２１５から入力される音声を符号化し、携帯電話用基地局に送信する。通話部２１５は、マイクおよびスピーカを備え、無線通信部２１４から入力される音声をスピーカから出力し、マイクから入力される音声を無線通信部２１４に出力する。さらに、無線通信部２１４は、ＣＰＵ２１１により制御され、携帯電話用基地局を介してデータを送受信し、例えば、携帯情報装置２００をインターネットに接続する。
【００６４】
カメラ２１２は、レンズおよびＣＭＯＳ(Ｃｏｍｐｌｅｍｅｎｔａｒｙ  Ｍｅｔａｌ  Ｏｘｉｄｅ  Ｓｅｍｉｃｏｎｄｕｃｔｏｒ）センサー等の光電変換素子を備え、レンズで集光した光をＣＭＯＳセンサーに結像し、ＣＭＯＳセンサーは受光した光を光電変換して画像データをＣＰＵ２０１に出力する。
【００６５】
表示部２１６は、液晶表示装置（ＬＣＤ）、有機ＥＬＤ等の表示装置であり、ユーザーに対する指示メニューや，外部から受信されたデータ等を表示する。操作部２１７は、複数のキーを備え、キーに対応するユーザーの操作による各種の指示、文字、数字などのデータの入力を受け付ける。また、操作部２１７は、表示部２１６に重畳して設けられ、表示部１１４の表示面中でユーザーにより指示された位置を検出するタッチパネルを含む。
【００６６】
無線ＬＡＮＩ／Ｆ２１８は、無線局５と通信し、携帯情報装置２００をネットワーク３に接続するためのインターフェースである。携帯情報装置２００は、無線ＬＡＮＩ／Ｆ２１８を介してＭＦＰ１００，１００Ａ、１００ＢまたはＰＣ４００〜４０２と通信することができ、データの送受信が可能である。
【００６７】
ＧＰＳセンサー２１９は、ＧＰＳ衛星から受信される電波に基づいて、携帯情報装置２００の現在位置を検出する。ＧＰＳセンサー２１９は、検出した現在位置を示す位置情報をＣＰＵ２１１に出力する。
【００６８】
傾き検出センサー２２１は、携帯情報装置２００本体（構造体）に固定されており、本体の傾きを検出する。傾き検出センサー２１１は、ジャイロセンサーおよび／または加速度センサーである。傾き検出センサー２１１は、表示部２１６の表示面が向く方向（表示面から延びる法線方向）を基準方向とし、基準方向と重力方向とのなす角度を、傾きとして検出する。傾き検出センサー２２１は、検出した傾きをＣＰＵ２１１に出力する。
【００６９】
図５は、ＭＦＰが備えるＣＰＵの機能の一例を示すブロック図である。図５に示す機能は、ＭＦＰ１００，１００Ａ，１００Ｂそれぞれが備えるＣＰＵ１１１が、ＲＯＭ１１３、ＨＤＤ１１６またはＣＤ−ＲＯＭ１１８Ａに記憶された画像形成プログラムを実行することにより、ＣＰＵ１１１に形成される機能である。ここでは、ＭＦＰ１００が備えるＣＰＵ１１１の機能を例に説明する。
【００７０】
図５を参照して、ＭＦＰ１００が備えるＣＰＵ１１１は、携帯情報装置２００を検出する装置検出部５１と、携帯情報装置２００の位置を検出する位置検出部５３と、携帯情報装置２００の方向を取得する方向取得部５５と、動作条件を設定する設定部５７と、携帯情報装置２００からデータを受信するデータ受信部５９と、動作条件に従って、データに基づいて用紙に画像を形成する画像形成制御部６７と、合成部６１と、画像読取部２０を制御する原稿読取制御部６３と、後処理部４５を制御する排紙制御部６５と、を含む。
【００７１】
装置検出部５１は、ＭＦＰ１００と同じ位置に存在する携帯情報装置２００を検出する。具体的には、データ通信制御部１１７は、位置送信要求を所定時間間隔でデータ通信制御部１１７に送信させる。後述するように、携帯情報装置２００は、位置送信要求を受信すると、接続要求を返信するので、装置検出部５１は、携帯情報装置２００が送信する接続要求をデータ通信制御部１１７が受信すると、接続要求を取得する。接続要求は、後述するように携帯情報装置２００の位置を示す位置情報を含む。装置検出部５１は、ＧＰＳセンサー１１９から入力される位置情報で示されるＭＦＰ１００の現在位置と、接続要求に含まれる位置情報で示される携帯情報装置２００の現在位置とが、同じ位置か否かを判断する。ここで、同じ位置とは、２つの現在位置が、予め定められた所定の距離の範囲内に含まれる場合をいう。また、所定の距離の範囲は、ＧＰＳセンサー１１９により検出されるＭＦＰ１００の現在位置の誤差、およびＧＰＳセンサー２１９により検出される携帯情報装置２００の現在位置の誤差の範囲内に含まれる場合を含む。装置検出部５１は、２つの位置が同じと判断する場合、接続要求を送信してきた携帯情報装置２００を識別するための装置識別情報を方向取得部５５およびデータ受信部５９に出力するとともに、位置検出指示を位置検出部５３に出力する。
【００７２】
位置検出部５３は、携帯情報装置２００が載置された位置を検出する。センサー１１Ａ，２０Ａ，４１Ａ，４７Ａのうち出力信号がＯＮ信号に変化したものに基づいて、携帯情報装置２００がユーザーにより載置された位置を検出する。位置検出部５３は、センサー１１Ａの出力信号がＯＮに変化する場合、原稿給紙トレイ１１に携帯情報装置２００が載置されたと判断し、原稿給紙トレイ１１を識別するための位置識別情報を設定部５７に出力する。位置検出部５３は、センサー２０Ａの出力信号がＯＮに変化する場合、画像読取部２０が備えるプラテンガラスに携帯情報装置２００が載置されたと判断し、画像読取部２０が備えるプラテンガラスを識別するための位置識別情報を設定部５７に出力する。位置検出部５３は、センサー４１Ａの出力信号がＯＮに変化する場合、手差トレイ４１に携帯情報装置２００が載置されたと判断し、手差トレイ４１を識別するための位置識別情報を設定部５７に出力する。位置検出部５３は、センサー４７Ａの出力信号がＯＮに変化する場合、ＰＩトレイ４７に携帯情報装置２００が載置されたと判断し、ＰＩトレイ４７を識別するための位置識別情報を設定部５７に出力する。
【００７３】
方向取得部５５は、装置検出部５１から携帯情報装置２００の装置識別情報が入力される。方向取得部５５は、データ通信制御部１１７を介して装置識別情報で特定される携帯情報装置２００に、方向要求信号を送信する。後述するように携帯情報装置２００は、方向要求信号を受信すると、携帯情報装置２００の表示面が向く方向を示す方向情報を返信するので、方向取得部５５は、データ通信制御部１１７が携帯情報装置２００から受信する方向情報を取得する。方向取得部５５は、取得された方向情報を設定部５７に出力する。
【００７４】
設定部５７は、位置検出部５３から位置識別情報が入力され、方向取得部５５から方向情報が入力される。設定部５７は、位置基準設定部７１と、変更部７３と、を含む。位置基準設定部７１は、位置検出部５３から入力される位置識別情報および方向取得部５５から入力される方向情報に対応して予め定められた動作条件を設定し、設定した動作条件を変更部７３に出力する。具体的には、位置基準設定部７１は、位置識別情報が画像読取部２０が備えるプラテンガラスを特定する場合、動作条件として表示ページ印刷条件を設定する。表示ページ印刷条件は、動作条件のうち画像形成の対象となるデータを、表示ページに限定する条件であり、その他の動作条件、例えば画像形成枚数等を定める動作条件は予め定められたデフォルト値が設定される。表示ページは、データに含まれる１以上のページのうち携帯情報装置２００に表示されているページである。
【００７５】
表示ページ印刷条件は、単一印刷条件と、連続印刷条件とを含む。位置基準設定部７１は、方向取得部５５から入力される方向情報を参照して、動作条件として、単一印刷条件と、連続印刷条件とのいずれか一方を設定する。位置基準設定部７１は、方向情報が重力方向を示す場合、動作条件として単一印刷条件を設定し、方向情報が重力方向以外の方向を示す場合、動作条件として連続印刷条件を設定する。
【００７６】
なお、方向情報が重力方向を示す場合とは、方向情報で特定される方向が、重力方向を含む所定の範囲の方向を含む。所定の範囲は、ＭＦＰ１００の設置状態により画像読取部２０が備えるプラテンガラスが地面に対して並行でない場合があり、ＭＦＰ１００が設置される場合に許容される傾き角度と、携帯情報装置２００が備える傾き検出センサー２２１の検出精度による誤差を考慮して決定される。
【００７７】
位置基準設定部７１は、位置識別情報が原稿給紙トレイ１１を特定する場合、動作条件として全ページ印刷条件を設定する。全ページ印刷条件は、動作条件のうち画像形成の対象となるデータを、データに含まれるすべてのページに特定する条件であり、その他の動作条件、例えば画像形成枚数等を定める動作条件は予め定められたデフォルト値が設定される。
【００７８】
位置基準設定部７１は、位置識別情報が手差トレイ４１を特定する場合、動作条件としてオーバーレイ印刷条件を設定する。オーバーレイ印刷条件は、動作条件のうち画像形成の対象となるデータを、画像読取部２０が出力する画像データに、携帯情報装置２００が表示している表示ページの画像を合成したデータに特定する条件であり、その他の動作条件、例えば画像形成枚数等を定める動作条件は予め定められたデフォルト値が設定される。
【００７９】
位置基準設定部７１は、位置識別情報がＰＩトレイ４７を特定する場合、動作条件として差込印刷条件を設定する。差込印刷条件は、動作条件のうち画像形成の対象となるデータを、画像読取部２０が出力する画像データと、携帯情報装置２００が表示している表示ページのページデータとに特定するとともに、画像読取部２０が出力する画像データと、携帯情報装置２００が表示している表示ページのページデータとを画像形成する順番を定める条件であり、その他の動作条件は予め定められたデフォルト値が設定される。その他の動作条件は、携帯情報装置２００が表示している表示ページの画像を形成した用紙を挿入する位置等を定める動作条件を含む。
【００８０】
変更部７３は、位置基準設定部７１から入力される動作条件を、ユーザーにより操作部１１５に入力される操作に従って変更し、変更後の動作条件を、データ受信部５９、合成部６１、原稿読取制御部６３および排紙制御部６５に出力する。具体的には、位置基準設定部７１から入力される動作条件を変更可能に表示する設定画面を、表示部１１４に表示し、ユーザーが操作部１１５を用いて、設定画面に表示された動作条件を変更する操作を入力すれば、入力された操作に従って動作条件を変更する。
【００８１】
データ受信部５９は、装置検出部５１から装置識別情報が入力され、変更部７３から動作条件が入力される。データ受信部５９は、データ通信制御部１１７を制御して、装置識別情報で特定される携帯情報装置に、表示ページ送信要求または全ページ送信要求のいずれかを送信する。データ受信部５９は、表示ページ要求部７５と、全ページ要求部７７と、を含む。全ページ要求部７７は、動作条件が、全ページ印刷条件に設定されている場合、全ページ送信要求を送信する。全ページ送信要求を受信する携帯情報装置２００は、後述するように、表示ページを含むデータを返信するので、全ページ要求部７７は、データ通信制御部１１７が携帯情報装置２００から受信するデータを取得し、取得されたデータを画像形成制御部６７に出力する。
【００８２】
表示ページ要求部７５は、動作条件が、全ページ印刷条件以外の表示ページ印刷条件、オーバーレイ印刷条件および差込印刷条件のいずれかの場合、表示ページ送信要求を送信する。表示ページ送信要求を受信する携帯情報装置２００は、後述するように、表示ページのページデータを返信するので、表示ページ要求部７５は、データ通信制御部１１７が携帯情報装置２００から受信するページデータを取得する。
【００８３】
表示ページ要求部７５は、動作条件が、表示ページ印刷条件のうち連続ページ印刷条件が設定されている場合、複数の送信要求を連続して送信する。表示ページ要求部７５は、データ通信制御部１１７が携帯情報装置２００からページデータを受信した後に、次の表示ページ送信要求を送信する。携帯情報装置２００は、後述するように、表示ページ送信要求を受信した後に表示ページが切り換えられることを条件に、切換後の表示ページのページデータを送信するので、表示ページ要求部７５は、データ通信制御部１１７が携帯情報装置２００からページデータを受信するごとに、ページデータを取得する。
【００８４】
表示ページ要求部７５は、動作条件が表示ページ印刷条件、差込印刷条件のいずれかの場合、取得されたページデータを画像形成制御部６７に出力する。また、表示ページ要求部７５は、動作条件がオーバーレイ印刷条件の場合、取得されたページデータを合成部６１に出力する。
【００８５】
原稿読取制御部６３は、変更部７３から入力される動作条件が、差込印刷条件またはオーバーレイ印刷条件の場合、画像読取部２０を制御し、画像読取部２０に原稿を読み取らせる。画像読取部２０は、原稿を読み取って、画像データを出力するので、原稿読取制御部６３は、画像読取部２０から取得される画像データを取得する。
【００８６】
原稿読取制御部６３は、動作条件がオーバーレイ印刷条件の場合、取得された画像データを合成部６１に出力する。合成部６１は、表示ページ要求部７５から表示ページのページデータが入力され、原稿読取制御部６３から１以上の画像データが入力される。合成部６１は、１以上の画像データそれぞれを、表示ページのページデータの画像と合成することにより合成データを生成する。合成部６１は、１以上の画像データにそれぞれ対応する１以上の合成データを画像形成制御部６７に出力する。これにより、原稿の画像に表示ページの画像を合成した合成画像が用紙に形成される。
【００８７】
原稿読取制御部６３は、動作条件が差込印刷条件の場合、取得された画像データを、差込印刷条件で定まるタイミングで、画像形成制御部６７に出力する。原稿読取制御部６３は、複数枚の原稿を読み取る場合、複数の画像データを、差込印刷条件で定まるタイミングで、画像形成制御部６７に出力する。
【００８８】
画像形成制御部６７は、変更部７３から動作条件が入力され、データ受信部５９からデータまたはページデータが入力され、合成部６１から合成データが入力され、原稿読取制御部６３から原稿を読み取った画像データが入力される。画像形成制御部６７は、画像形成部３０を制御して、動作条件に従って用紙に画像を形成する。具体的には、動作条件が全ページ印刷条件の場合、データ受信部５９から携帯情報装置２００により表示されているページを含むデータが入力される。画像形成制御部６７は、データに含まれる１以上のページの画像を用紙に形成する。これにより、データに含まれる全ページの画像を形成した用紙が、後処理部４５に搬送される。
【００８９】
画像形成制御部６７は、動作条件が表示ページ印刷条件の場合、データ受信部５９からページデータが入力される。画像形成制御部６７は、画像形成部３０を制御して、動作条件に従ってページデータの画像を用紙に形成する。また、画像形成制御部６７は、動作条件が表示ページ印刷条件の場合、ＡＤＦ１０が開放状態であっても、画像形成部３０を制御して、動作条件に従ってページデータの画像を用紙に形成する。このため、ユーザーは、ＡＤＦ１０を開放した状態で、画像を形成させることができる。
【００９０】
画像形成制御部６７は、動作条件が表示ページ印刷条件のうち単一印刷条件の場合は、１つのページデータが入力されるので、１つのページデータの画像を１枚の用紙に形成する。これにより、１つのページデータの画像を形成した１枚の用紙が、後処理部４５に搬送される。画像形成制御部６７は、動作条件が表示ページ印刷条件のうち連続印刷条件の場合は、複数のページデータが順に入力されるので、複数のページデータの画像それぞれを用紙に形成する。これにより、複数のページデータの画像を形成した複数枚の用紙が、後処理部４５に搬送される。
【００９１】
画像形成制御部６７は、動作条件が合成印刷条件の場合、合成部６１から合成データが入力される。画像形成制御部６７は、画像形成部３０を制御して、動作条件に従って合成データの画像を用紙に形成する。画像形成制御部６７は、合成部６１から複数の合成データが入力される場合、複数の合成データそれぞれの画像を用紙に形成する。これにより、複数の合成データの画像を形成した複数枚の用紙が、後処理部４５に搬送される。
【００９２】
画像形成制御部６７は、動作条件が差込印刷条件の場合、原稿読取制御部６３から画像データが入力され、データ受信部５９からページデータが入力される。画像形成制御部６７は、動作条件に従って、画像データの画像およびページデータの画像を用紙に形成する。画像データの画像と、ページデータの画像とを形成する順番は、動作条件によって定まる。これにより、原稿を読み取って得られる画像データの画像を形成した用紙と、表示ページの画像を形成した用紙とが、動作条件で定める順番で、後処理部４５に搬送される。
【００９３】
排紙制御部６５は、動作条件に従って、後処理部４５を制御する。具体的には、動作条件に差込印刷が設定されている場合には差込ユニットを制御して、ＰＩトレイ４７に蓄積された用紙を挿入する。また、動作条件にパンチ加工が設定されている場合にはパンチユニットを制御して、複数の用紙の束にパンチ穴を開ける処理を実行する。動作条件に並べ替え指示が設定されている場合にはソートユニットを制御して、画像形成部３０から順に供給される用紙を、複数の束に分類する。動作条件にステープル加工が設定されている場合にはステープルユニットを制御して、複数の用紙の束をまとめてステープル針を打ち込む処理を実行する。動作条件に折指示が設定されている場合には、折り処理ユニットを制御して、１以上の用紙の束をまとめて折り曲げる処理を実行する。さらに、動作条件に裁断指示が設定されている場合には、断裁ユニットを制御して、１以上の用紙の束をまとめて切断する処理を実行する。
【００９４】
図６は、携帯情報装置が備えるＣＰＵが有する機能の一例を示す図である。図６に示す機能は、携帯情報装置２００が備えるＣＰＵ２１１が、フラッシュメモリ２１３に記憶された連携プログラムを実行することにより、ＣＰＵ２１１に形成される機能である。図６を参照して、携帯情報装置２００が備えるＣＰＵ２１１は、ユーザーによる切換指示を受け付ける切換指示受付部２５１と、表示部２１６の表示を制御する表示制御部２５３と、ページ単位送信部２５５と、表示ページ要求受信部２５７と、同期部２５９と、全ページ要求受信部２６１と、データ送信部２６３と、現在位置を検出する現在位置検出部２６５と、検出された位置を示す位置情報を送信する位置情報送信部２６７と、表示部２１６の表示面が向く方向を検出する方向検出部２６９と、検出された方向を示す方向情報を送信する方向情報送信部２７１と、を含む。
【００９５】
現在位置検出部２６５は、ＧＰＳセンサー２１９と接続され、携帯情報装置２００の現在位置を検出する。現在位置検出部２６５は、ＧＰＳセンサー２１９が出力する位置情報を取得することにより、携帯情報装置２００の現在位置を検出する。現在位置検出部２６５は、取得された位置情報を位置情報送信部２６７に出力する。
【００９６】
位置情報送信部２６７は、無線ＬＡＮＩ／Ｆ２１８を制御し、ＭＦＰ１００から位置送信要求を受信したか否かを判断する。位置情報送信部２６７は、無線ＬＡＮＩ／Ｆ２１８が位置送信要求を受信すると、現在位置検出部２６５から入力される位置情報を、無線ＬＡＮＩ／Ｆ２１８を介して、ＭＦＰ１００に返信する。
【００９７】
方向検出部２６９は、傾き検出センサー２２１と接続され、携帯情報装置２００の方向を検出する。方向検出部２６９は、傾き検出センサー２２１が出力する傾きが所定の範囲内か否かを判断する。傾き検出センサー２２１が出力する傾きは、表示部２１６の表示面が向く方向を基準方向とし、基準方向と重力方向とのなす角度を示すので、傾きが所定の範囲内の場合は、表示部２１６の表示面が重力方向を向く場合である。方向検出部２６９は、傾き検出センサー２２１が出力する傾きが所定の範囲内ならば重力方向を示す方向情報を方向情報送信部２７１に出力し、傾き検出センサー２２１が出力する傾きが所定の範囲内でなければ重力方向以外の方向を示す方向情報を方向情報送信部２７１に出力する。
【００９８】
方向情報送信部２７１は、無線ＬＡＮＩ／Ｆ２１８を制御し、ＭＦＰ１００から方向要求信号を受信したか否かを判断する。方向情報送信部２７１は、無線ＬＡＮＩ／Ｆ２１８が方向要求信号を受信すると、方向検出部２６９から入力される方向情報を、無線ＬＡＮＩ／Ｆ２１８を介して、ＭＦＰ１００に返信する。
【００９９】
表示制御部２５３は、表示部２１６を制御し、フラッシュメモリ２１３に記憶されたデータの画像を表示する。具体的には、ユーザーが操作部２１７を操作してフラッシュメモリ２１３に記憶されたデータを指定する操作を検出すると、ユーザーにより指定されたデータをフラッシュメモリ２１３から読み出し、読み出されたデータの画像を表示部２１６に表示させる。データは、複数ページを有する場合があり、表示制御部２５３は、データに含まれる複数ページのうちからユーザーにより指定されたページの画像を表示する。また、後述する切換指示受付部２５１からページ切換指示が入力される場合は、データに含まれる複数ページのうちページ切換指示に含まれるページ識別情報で特定されるページの画像を表示する。表示制御部２５３は、表示部２１６に表示しているページのページデータをページ単位送信部２５５に出力する。ページデータは、フラッシュメモリ２１３に記憶されたデータのうち、そのデータに含まれる複数ページそれぞれに相当する部分である。
【０１００】
切換指示受付部２５１は、ユーザーが操作部２１７に入力する操作であって、表示部２１６に表示されているページの画像を切り換える操作を検出すると、ページ切換指示を表示制御部２５３および同期部２５９に出力する。ページ切換指示は、データに含まれる複数ページのうち１つを特定するページ識別情報を含む。ページ識別情報は、例えばページ番号である。例えば、操作部２１７が送りボタンと戻りボタンとを備える場合、切換指示受付部２５１は、ユーザーが送りボタンを指示する操作を入力すれば、表示部２１６に表示されているページを次のページに切り換えるページ送り指示を受け付け、ユーザーが戻りボタンを指示する操作を入力すれば、表示部２１６に表示されているページより前のページに切り換えるページ戻り指示を受け付ける。切換指示受付部２５１は、ページ送り指示を受け付ける場合、それまで表示部２１６に表示されていたページより１つ後のページを特定するページ識別情報を含むページ切換指示を表示制御部２５３および同期部２５９に出力し、ページ戻り指示を受け付ける場合、それまで表示部２１６に表示されていたページより１つ前のページを特定するページ識別情報を含むページ切換指示を表示制御部２５３および同期部２５９に出力する。
【０１０１】
表示ページ要求受信部２５７は、無線ＬＡＮＩ／Ｆ２１８を制御し、ＭＦＰ１００から表示ページ送信要求を受信したか否かを判断する。表示ページ要求受信部２５７は、無線ＬＡＮＩ／Ｆ２１８が表示ページ送信要求を受信すると、同期部２５９に表示ページ送信要求を受信したことを示す受信通知信号を出力する。
【０１０２】
同期部２５９は、切換指示受付部２５１からページ切換指示が入力され、表示ページ要求受信部２５７から受信通知信号が入力される。同期部２５９は、表示ページ要求受信部２５７から最初の受信通知信号が入力さる場合、送信指示をページ単位送信部２５５に出力する。同期部２５９は、表示ページ要求受信部２５７から２回目以降の受信通知信号が入力さる場合、切換指示受付部２５１からページ切換指示が入力されることを条件に、送信指示をページ単位送信部２５５に出力する。
【０１０３】
ページ単位送信部２５５は、同期部２５９から送信指示が入力されることに応じて、表示制御部２５３から入力されるページデータを、無線ＬＡＮＩ／Ｆ２１８を介して、ＭＦＰ１００に送信する。ページ単位送信部２５５は、同期部２５９から送信指示が入力されるごとに、換言すれば、ユーザーが表示部２１６に表示されているページの画像を切り換える操作を操作部２１７に入力するごとに、表示制御部２５３から入力されるページデータを、ＭＦＰ１００に送信する。表示制御部２５３は、ユーザーが表示部２１６に表示されているページの画像を切り換える操作を操作部２１７に入力するごとに、表示するページを切り換えるので、ユーザーが表示部２１６に表示されているページを切り換えるごとに、切り換えられた後に表示されているページのページデータが、ＭＦＰ１００に送信される。
【０１０４】
全ページ要求受信部２６１は、無線ＬＡＮＩ／Ｆ２１８を制御し、ＭＦＰ１００から全ページ送信要求を受信したか否かを判断する。全ページ要求受信部２６１は、無線ＬＡＮＩ／Ｆ２１８が全ページ送信要求を受信すると、データ送信部２６３に全ページ送信要求を受信したことを示す受信通知信号を出力する。
【０１０５】
データ送信部２６３は、全ページ要求受信部２６１から受信通知信号が入力されることに応じて、表示制御部２５３により表示されているページを含むデータを、無線ＬＡＮＩ／Ｆ２１８を介して、ＭＦＰ１００に送信する。
【０１０６】
図７、図８および図９は、画像形成処理の流れの一例を示すフローチャートである。画像形成処理は、ＭＦＰ１００，１００Ａ，１００Ｂそれぞれが備えるＣＰＵ１１１が、ＲＯＭ１１３、ＨＤＤ１１６またはＣＤ−ＲＯＭ１１８Ａに記憶された画像形成プログラムを実行することにより、ＣＰＵ１１１による実行される処理である。ここでは、ＭＦＰ１００が備えるＣＰＵ１１１が実行する画像形成処理を例に説明する。
【０１０７】
図７、図８および図９を参照して、ＣＰＵ１１１は、携帯情報装置２００を検出したか否かを判断する（ステップＳ０１）。ＭＦＰ１００と同じ位置に存在する携帯情報装置２００を検出するまで待機状態となり（ステップＳ０１でＮＯ）、そのような携帯情報装置２００を検出したならば処理をステップＳ０２に進める。換言すれば、画像形成処理は、ＭＦＰ１００と同じ位置に存在する携帯情報装置２００を検出することを条件に、実行される処理である。具体的には、位置送信要求を所定時間間隔でデータ通信制御部１１７に送信させる。そして、位置送信要求を受信する携帯情報装置２００が送信する接続要求を受信すると、接続要求に含まれる位置情報で特定される携帯情報装置２００の現在位置と、ＧＰＳセンサー１１９により検出されるＭＦＰ１００の現在位置とを比較する。２つの位置が同じならば、その携帯情報装置２００がＭＦＰ１００と同じ位置と判断する。
【０１０８】
ステップＳ０２においては、ステップＳ０１において検出された携帯情報装置２００が載置された位置を検出する。センサー１１Ａ，２０Ａ，４１Ａ，４７Ａのうち出力信号がＯＮ信号に変化したものに基づいて、携帯情報装置２００がユーザーにより載置された位置を検出する。センサー１１Ａの出力信号がＯＮに変化する場合、原稿給紙トレイ１１を携帯情報装置２００が載置された位置として検出する。センサー２０Ａの出力信号がＯＮに変化する場合、画像読取部２０が備えるプラテンガラスを携帯情報装置２００が載置された位置として検出する。センサー４１Ａの出力信号がＯＮに変化する場合、手差トレイ４１を携帯情報装置２００が載置された位置として検出する。センサー４７Ａの出力信号がＯＮに変化する場合、ＰＩトレイ４７を携帯情報装置２００が載置された位置として検出する。
【０１０９】
ステップＳ０３においては、検出された位置に基づいて処理を分岐させる。検出された位置が原稿給紙トレイ１１ならば処理をステップＳ０４に進め、画像読取部２０が備えるプラテンガラスならば処理をステップＳ０５に進め、手差トレイ４１ならば処理をステップＳ０９に進め、ＰＩトレイ４７ならば処理をステップＳ１０に進める。
【０１１０】
ステップＳ０４においては、全ページ印刷条件を設定し、処理をステップＳ１０に進める。全ページ印刷条件は、動作条件のうち画像形成の対象となるデータを、データに含まれるすべてのページに特定する条件であり、その他の動作条件、例えば画像形成枚数等を定める動作条件は予め定められたデフォルト値が設定される。
【０１１１】
ステップＳ０５においては、携帯情報装置２００の方向を検出する。具体的には、データ通信制御部１１７を介して携帯情報装置２００に、方向要求信号を送信し、携帯情報装置２００から送信される方向情報に基づいて、携帯情報装置の表示面が向く方向が、重力方向と重力方向以外の方向のいずれかであるかを検出する。そして、検出された方向によって処理を分岐させる（ステップＳ０６）。携帯情報装置の表示面が向く方向が重力方向ならば処理をステップＳ０７に進め、重力方向でなければ処理をステップＳ０８に進める。ステップＳ０７においては、動作条件として単一印刷条件を設定し、処理をステップＳ１０に進める。単一印刷条件は、表示ページ印刷条件の１つであり、動作条件のうち画像形成の対象となるデータを、１つの表示ページに限定する条件であり、その他の動作条件、例えば画像形成枚数等を定める動作条件は予め定められたデフォルト値が設定される動作条件である。
【０１１２】
一方、ステップＳ０８においては、動作条件として連続印刷条件を設定し、処理をステップＳ１０に進める。連続印刷条件は、表示ページ印刷条件の１つであり、動作条件のうち画像形成の対象となるデータを、複数の表示ページに限定する条件であり、その他の動作条件、例えば画像形成枚数等を定める動作条件は予め定められたデフォルト値が設定される動作条件である。
【０１１３】
ステップＳ０９においては、動作条件をオーバーレイ印刷条件に設定し、処理をステップＳ１０に進める。オーバーレイ印刷条件は、動作条件のうち画像形成の対象となるデータを、画像読取部２０が出力する画像データに、携帯情報装置２００が表示している表示ページの画像を合成したデータに特定する条件であり、その他の動作条件、例えば画像形成枚数等を定める動作条件は予め定められたデフォルト値が設定される。
【０１１４】
ステップＳ１０においては、動作条件を差込印刷条件に設定し、処理をステップＳ１０に進める。差込印刷条件は、動作条件のうち画像形成の対象となるデータを、画像読取部２０が出力する画像データと、携帯情報装置２００が表示している表示ページのページデータに特定するとともに、画像読取部２０が出力する画像データと、携帯情報装置２００が表示している表示ページのページデータとを画像形成する順番を定める条件であり、その他の動作条件、例えば、携帯情報装置２００が表示している表示ページの画像を形成した用紙を挿入する位置等を定める動作条件は予め定められたデフォルト値が設定される。
【０１１５】
ステップＳ１１においては、設定変更を受け付けたか否かを判断する。ステップＳ０４、ステップＳ０７〜ステップＳ１０のいずれかで設定された動作条件を、表示部２１６に表示し、ユーザーが操作部２１７に入力する動作条件を変更する操作を受け付ける。ステップＳ１２においては、ステップＳ１１において受け付けられた操作に従って、設定されている動作条件を変更する。次のステップＳ１３においては、操作部２１７が備えるスタートキーが押下されたか否かを判断する。スタートキーの押下を検出したならば処理をステップＳ１４に進めるが、そうでなければ処理をステップＳ１１に戻す。
【０１１６】
ステップＳ１４においては、動作条件が全ページ印刷条件に設定されているか否かを判断する。動作条件が全ページ印刷条件に設定されているならば処理をステップＳ１５に進めるが、そうでなければ処理をステップＳ１９に進める。ステップＳ１５においては、全ページ送信要求を携帯情報装置２００に送信する。全ページ送信要求を受信する携帯情報装置２００は、表示ページを含むデータを返信するので、次のステップＳ１６においては、データ通信制御部１１７を制御して、携帯情報装置２００から送信されるデータを受信する。データ通信制御部１１７が携帯情報装置２００から送信されるデータを受信するまで待機状態となり（ステップＳ１６でＮＯ）、データを受信したならば（ステップＳ１６でＹＥＳ）、処理をステップＳ１７に進める。
【０１１７】
ステップＳ１７においては、受信されたデータに含まれるページデータを選択し、ページデータの画像を形成する。ページデータを画像形成部３０に出力し、画像形成部３０にページデータの画像を形成させる。次のステップＳ１８においては、ステップＳ１６において受信されたデータ中に画像形成されていないページデータが存在するか否かを判断する。画像形成されていないページデータが存在するならば処理をステップＳ１７に戻し、すべてのページデータの画像が形成されたならば処理を終了する。
【０１１８】
したがって、携帯情報装置２００でデータを選択して、任意のページの画像を表示させた状態で、携帯情報装置２００を原稿給紙トレイ１１に置いて、スタートキーを押下すれば、選択したデータに含まれる複数のページすべての画像を形成する動作を、ＭＦＰ１００が実行する。このため、複数枚の原稿を複写する際に、複数枚の原稿を原稿給紙トレイ１１に載置する操作をするが、この操作と同様に、携帯情報装置２００において画像形成の対象となるデータを選択し、任意のページの画像を表示させた状態で携帯情報装置２００を原稿給紙トレイ１１に載置する操作をすればよいので、ＭＦＰ１００による動作条件の設定を容易にすることができる。また、ＭＦＰ１００による画像形成の対象となるデータを容易に指定することができる。
【０１１９】
ステップＳ１９においては、動作条件が連続印刷設定に設定されているか否かを判断する。連続印刷設定に設定されているならば処理をステップＳ２０に進めるが、そうでなければ処理をステップＳ２４に進める。ステップＳ２０においては、表示ページ送信要求を送信する。表示ページ送信要求を受信する携帯情報装置２００は、表示ページのページデータを返信するので、次のステップＳ２０においては、データ通信制御部１１７を制御して、携帯情報装置２００からページデータを受信したか否かを判断する。ページデータを受信したならば処理をステップＳ２２に進めるが、そうでなければ処理をステップＳ２３に進める。ステップＳ２３においては、ステップＳ２０において表示ページ送信要求を送信してから所定時間が経過したか否かを判断する。所定時間は、任意に定めることができるが、携帯情報装置２００において、ユーザーがページを切り換える操作を入力してからページの画像が表示されるまでの時間以上であることが好ましい。所定時間が経過したならば処理を終了するが、そうでなければ処理をステップＳ２１に戻す。
【０１２０】
ステップＳ２２においては、携帯情報装置２００から受信されたページデータの画像を形成し、処理をステップＳ２０に戻す。ページデータを画像形成部３０に出力し、画像形成部３０にページデータの画像を形成させる。ユーザーにより切り換えられた後の表示ページのページデータを受信するためである。
【０１２１】
したがって、携帯情報装置２００を、画像読取部２０が備えるプラテンガラスの上に表示面が上向きなるように置いて、スタートキーを押下すれば、表示されているページの画像を形成する動作を、ＭＦＰ１００が実行する。さらに、表示されているページを切り換えるごとに、表示が切り換えられた後に表示されているページの画像を形成する動作を、ＭＦＰ１００が実行する。このため、ＭＦＰ１００による画像形成の対象となるデータを容易に指定することができる。また、ユーザーは、携帯情報装置２００に表示されているページを切り換える操作を所定時間経過する前に入力しなければ、ＭＦＰ１００による画像形成動作を終了させることができ、逆に、所定時間が経過する前に携帯情報装置２００に表示されているページを切り換える操作を入力すれば、次のページの画像をＭＦＰ１００に形成させることができる。
【０１２２】
一方、ステップＳ２４においては、ステップＳ１９と同様に、表示ページ送信要求を送信する。次のステップＳ２５においては、データ通信制御部１１７を制御して、携帯情報装置２００からページデータを受信したか否かを判断する。ページデータを受信するまで待機状態となり（ステップＳ２５でＮＯ）、ページデータを受信したならば（ステップＳ２５でＹＥＳ）、処理をステップＳ２６に進める。
【０１２３】
ステップＳ２６においては、動作条件としてオーバーレイ印刷条件が設定されているか否かを判断する。オーバーレイ印刷条件が設定されているならば処理をステップＳ２７に進めるが、そうでなければ処理をステップＳ３１に進める。ステップＳ２７においては、原稿を読み取る。画像読取部２０を制御して、原稿を読み取らせる。次のステップＳ２８においては、画像読取部２０が出力する画像データと、ステップＳ２５において受信されたページデータの画像を合成する。そして、合成された合成データの画像を画像形成する。合成データを画像形成部３０に出力し、画像形成部３０に合成データの画像を形成させる（ステップＳ２９）。
【０１２４】
次のステップＳ３０においては、原稿読取が終了したか否かを判断する。画像読取部２０が読み取る原稿が存在しなくなったならば原稿読取が終了したと判断する。ＡＤＦ１０の原稿給紙トレイ１１に原稿が存在するか否かを判断する。原稿読取が終了したならば処理を終了するが、そうでなければ処理をステップＳ２７に戻す。
【０１２５】
したがって、携帯情報装置２００でデータを選択して、原稿画像と合成する対象となるページの画像を表示させた状態で、携帯情報装置２００を手差トレイ４１に置いて、原稿をＡＤＦ１０の原稿給紙トレイ１１または画像読取部２０が備えるプラテンガラス上に載置した状態で、スタートキーを押下すれば、携帯情報装置２００に表示されているページの画像と、原稿の画像とを合成した画像を形成する動作を、ＭＦＰ１００が実行する。このため、オーバーレイ印刷する際に画像が形成された用紙を手差トレイ４１に載置する操作をするが、この操作と同様に、携帯情報装置２００に合成の対象となるページの画像を表示させた状態で携帯情報装置２００を手差トレイ４１に載置する操作をすればよいので、ＭＦＰ１００によるオーバーレイ印刷のための動作条件の設定を容易にすることができる。
【０１２６】
ステップＳ３１においては、動作条件として差込印刷条件が設定されているか否かを判断する。差込印刷条件が設定されているならば処理をステップＳ３２に進めるが、そうでなければ処理をステップＳ３７に進める。ステップＳ３２においては、差込位置か否かを判断する。画像を形成する順番が、動作条件に設定されている差込位置と一致するか否かを判断する。差込位置は、表示ページのページデータの画像を形成した用紙を、原稿を読み取って得られる画像データの画像を形成する１以上の用紙の間に差し込む位置である。差込位置ならば処理をステップＳ３３に進めるが、そうでなければステップＳ３３をスキップして処理をステップＳ３４に進める。ステップＳ３３においては、ステップＳ２５において携帯情報装置２００から受信されたページデータの画像を形成し、処理をステップＳ３４に進める。ページデータを画像形成部３０に出力し、画像形成部３０にページデータの画像を形成させる。
【０１２７】
ステップＳ３４においては、原稿を読み取る。画像読取部２０を制御して、原稿を読み取らせる。次のステップＳ３５においては、画像読取部２０が出力する画像データの画像を形成する。画像データを画像形成部３０に出力し、画像形成部３０に画像データの画像を形成させる。
【０１２８】
そして、ステップＳ３０と同様に、原稿読取が終了したか否かを判断する（ステップＳ３６）。原稿読取が終了したならば処理を終了するが、そうでなければ処理をステップＳ３２に戻す。
【０１２９】
したがって、携帯情報装置２００でデータを選択して、差込の対象となるページの画像を表示させた状態で、携帯情報装置２００をＰＩトレイ４７に置いて、原稿をＡＤＦ１０の原稿給紙トレイ１１に載置し、動作条件の１つとして差込位置を設定した状態で、スタートキーを押下すれば、原稿の画像を形成する動作を開始し、携帯情報装置２００に表示されているページの画像が形成された用紙を、原稿の画像が形成された複数の用紙のうちユーザーにより指定された位置に挿入した用紙の束を出力する動作をＭＦＰ１００に実行させることができる。このため、差込印刷する際に差込する用紙をＰＩトレイ４７に載置する操作をするが、この操作と同様に、携帯情報装置２００に差込の対象となるページの画像を表示させた状態で携帯情報装置２００をＰＩトレイ４７に載置する操作をすればよいので、ＭＦＰ１００による差込印刷条件の設定を容易にすることができる。
【０１３０】
処理がステップＳ３７に進む場合は、動作条件に単一印刷条件が設定されている場合である。ステップＳ３７においては、ステップＳ２５において携帯情報装置２００から受信されたページデータの画像を形成し、処理を終了する。ページデータを画像形成部３０に出力し、画像形成部３０にページデータの画像を形成させる。
【０１３１】
したがって、携帯情報装置２００でデータを選択して、画像形成の対象となるページの画像を表示させた状態で、携帯情報装置２００を画像読取部２０が備えるプラテンガラスの上に表示面が下向きとなるように置いて、スタートキーを押下すれば、携帯情報装置２００に表示されているページの画像が形成される。このため、原稿をプラテンガラスに置いて複写する際の操作と同じ操作で、携帯情報装置２００に表示されているページの画像をＭＦＰ１００に形成させることができるので、ＭＦＰ１００に画像形成させるデータの設定を容易にすることができる。
【０１３２】
図１０は、連携処理の流れの一例を示すフローチャートである。連携処理は、携帯情報装置２００が備えるＣＰＵ２１１が、フラッシュメモリ２１３に記憶された連携プログラムを実行することにより、ＣＰＵ２１１により実行される処理である。図１０を参照して、ＣＰＵ２１１は、データが選択されたか否かを判断する（ステップＳ５１）。ユーザーが、フラッシュメモリ２１３に記憶されたデータを指定する操作を操作部２１７に入力したならば、データが選択されたと判断する。データが選択されるまで待機状態となり（ステップＳ５１でＮＯ）、データが選択されると（ステップＳ５１でＹＥＳ）処理をステップＳ５２に進める。
【０１３３】
ステップＳ５２においては、選択されたデータに含まれる複数ページのうち最初のページを表示する。最初のページのページデータの画像を表示部２１６に表示させる。次のステップＳ５３においては、切換指示を受け付けたか否かを判断する。ユーザーが、表示部２１６に表示されているページの画像を切り換える操作を操作部２１７に入力すると、切換指示を受け付ける。例えば、操作部２１７が送りボタンと戻りボタンとを備える場合、ユーザーが送りボタンを指示すれば、表示部２１６に表示されているページを次のページに切り換える切換指示を受け付け、ユーザーが戻りボタンを指示すれば、表示部２１６に表示されているページより前のページに切り換える切換指示を受け付ける。
【０１３４】
切換指示を受け付けたならば処理をステップＳ５４に進めるが、そうでなければ処理をステップＳ５５に進める。ステップＳ５４においては、ステップＳ５１において選択されたデータに含まれる複数ページのうち切換指示で特定される指示ページを表示し、処理をステップＳ５５に進める。ユーザーが送りボタンを指示すれば、表示部２１６に表示されているページを次のページを指示ページとし、ユーザーが戻りボタンを指示すれば、表示部２１６に表示されているページより前のページを指示ページとする。指示ページのページデータの画像を表示部２１６に表示させる。
【０１３５】
ステップＳ５５においては、位置送信要求を受信したか否かを判断する。無線ＬＡＮＩ／Ｆ２１８が、ＭＦＰ１００，１００Ａ，１００Ｂのいずれかから位置送信要求を受信したか否かを判断する。位置送信要求を受信したならば位置送信要求を送信してきた装置を特定し、処理をステップＳ５６に進めるが、そうでなければ処理をステップＳ６５に進める。ステップＳ６５においては、終了指示を受け付けたか否かを判断する。操作部２１７が備える終了キーが指示されると、終了指示を受け付ける。終了指示を受け付けたならば処理を終了するが、そうでなければ処理をステップＳ５３に戻す。
【０１３６】
処理をステップＳ５６に進める場合、無線ＬＡＮＩ／Ｆ２１８は、その後の通信相手を、ＭＦＰ１００，１００Ａ，１００ＢのうちステップＳ５５において受信された位置送信要求を送信してきた装置とする。ここでは、ＭＦＰ１００から位置送信要求を受信する場合を例に説明する。
【０１３７】
ステップＳ５６においては、現在位置を検出する。ＧＰＳセンサー２１９が出力する位置情報を取得することにより、携帯情報装置２００の現在位置を検出する。そして、無線ＬＡＮＩ／Ｆ２１８を制御して、位置情報をＭＦＰ１００に送信する（ステップＳ５７）。
【０１３８】
次のステップＳ５８においては、全ページ送信要求を受信したか否かを判断する。無線ＬＡＮＩ／Ｆ２１８が、ＭＦＰ１００から全ページ送信要求を受信したか否かを判断する。全ページ送信要求を受信したならば処理をステップＳ５９に進めるが、そうでなければ処理をステップＳ６０に進める。ステップＳ５９においては、無線ＬＡＮＩ／Ｆ２１８を介して、ステップＳ５１において選択されたデータをＭＦＰ１００に送信し、処理を終了する。
【０１３９】
一方、ステップＳ６０においては、表示ページ送信要求を受信したか否かを判断する。無線ＬＡＮＩ／Ｆ２１８が、ＭＦＰ１００から表示ページ送信要求を受信したか否かを判断する。表示ページ送信要求を受信したならば処理をステップＳ６１に進めるが、そうでなければ処理をステップＳ５８に戻す。
【０１４０】
ステップＳ６１においては、無線ＬＡＮＩ／Ｆ２１８を介して、ステップＳ５２またはステップＳ５４において表示部２１６に表示されている表示ページのページデータを送信する。そして、ステップＳ５３と同様に、切換指示を受け付けたか否かを判断する。切換指示を受け付けたならば処理をステップＳ６３に進めるが、そうでなければ処理をステップＳ６４に進める。ステップＳ６３においては、ステップＳ５１において選択されたデータに含まれる複数ページのうちステップＳ６２において受け付けられた切換指示で特定される指示ページを表示し、処理をステップＳ６０に戻す。一方、ステップＳ６４においては、ステップＳ６５と同様に、終了指示を受け付けた否かを判断する。終了指示を受け付けたならば処理を終了するが、そうでなければ処理をステップＳ６２に戻す。
【０１４１】
ステップＳ６２において切換指示が受け付けられなければ、処理がステップＳ６０に戻らないので、切換指示を受け付けることが、ステップＳ６１において切り換え後の表示ページのページデータを、ＭＦＰ１００に送信するための条件となる。
【０１４２】
＜第１の変形例＞
上述した実施の形態においては、ＭＦＰ１００は同一の位置に存在する携帯情報装置２００を検出するようにするために、ＭＦＰ１００が備えるＧＰＳセンサー１１９で検出された現在位置と、携帯情報装置２００が備えるＧＰＳセンサー２１９で検出された現在位置とを比較するようにした。
【０１４３】
第１の変形例においては、ＭＦＰ１００および携帯情報装置２００それぞれが近距離無線通信装置を有するようにしたものである。この場合ＭＦＰ１００が備える装置検出部５１は、ＭＦＰ１００が備える近距離無線通信装置が携帯情報装置２００が備える近距離無線通信装置との間で通信が可能になる場合に、通信可能になった携帯情報装置２００を同一の位置に存在する装置として検出する。
【０１４４】
近距離無線通信装置は、短距離の無線通信機能を有し、通信媒体は限定されず、例えば、ＩｒＤＡ（Ｉｎｆｒａｒｅｄ  Ｄａｔａ  Ａｓｓｏｃｉａｔｉｏｎ）の通信規格、またはＢｌｕｅｔｏｏｔｈ（登録商標）等の通信規格で無線通信する機能を有する。短距離無線通信装置は、通信可能な範囲が制限されるので、ＭＦＰ１００と携帯情報装置２００それぞれが備える短距離無線装置が通信可能になる場合、携帯情報装置２００とＭＦＰ１００との間の距離が、所定の範囲内となる場合である。この場合には、ＭＦＰ１００と携帯情報装置２００とが同じ位置と判断することができる。
【０１４５】
ＭＦＰ１００および携帯情報装置２００とが近距離無線通信装置をそれぞれ有する場合には、ＭＦＰ１００はＧＰＳセンサー１１９およびデータ通信制御部１１７を備える必要はない。
【０１４６】
また、携帯情報装置２００から接続要求を送信するようにし、データ通信制御部１１７が携帯情報装置２００から接続要求を受信する場合に、接続要求を送信してきた携帯情報装置２００を検出するようにしてもよい。この場合には、ＭＦＰ１００は、ＧＰＳセンサー１１９、およびデータ通信制御部１１７を備える必要はない。また、携帯情報装置２００は、ＧＰＳセンサー２１９および無線ＬＡＮＩ／Ｆ２１８を備える必要はなく、ＣＰＵ２０１は、現在位置検出部２６５および位置情報送信部２６７を有する必要はない。
【０１４７】
＜第２の変形例＞
ＭＦＰ１００は同一の位置に存在する携帯情報装置２００を検出するようにするために、ＭＦＰ１００が備えるＧＰＳセンサー１１９で検出された現在位置と、携帯情報装置２００が備えるＧＰＳセンサー２１９で検出された現在位置とを比較するようにした。
【０１４８】
第２の変形例における画像形成システムにおいては、ユーザーが携帯情報装置２００に、ＭＦＰ１００，１００Ａ，１００Ｂのうちからユーザーが操作を希望する装置を選択する操作を入力するようにしたものである。
【０１４９】
具体的には、図５および図６に示した機能ブロック図を用いて説明すると、まず図６を参照して、第２の変形例における携帯情報装置２００が備えるＣＰＵ２０１は、現在位置検出部２６５および位置情報送信部２６７に代えて、通信確立部を有する。ＣＰＵ２０１が備える通信確立部は、ユーザーが操作部２１７に、ＭＦＰ１００，１００Ａ，１００Ｂのうちから接続先として例えばＭＦＰ１００を指定する操作を入力すれば、無線ＬＡＮＩ／Ｆ２１８にＭＦＰ１００との間の通信を確立させる。より具体的には、通信確立部は、表示部２１６に通信の確立相手となりうるＭＦＰ１００，１００Ａ，１００Ｂそれぞれを指定するための接続先指定画面を表示する。接続先指定画面は、ＭＦＰ１００，１００Ａ，１００ＢおよびＰＣ４００〜４０２それぞれを識別するための装置識別情報を選択可能に表示する画面である。
【０１５０】
通信確立部は、ユーザーが操作部２１７に接続先指定画面に選択可能に表示された複数の装置識別情報のうちから１つを指定すれば、指定された装置識別情報を、接続先の装置の装置識別情報として受け付ける。例えば、ユーザーは、ＭＦＰ１００を操作する場合にはＭＦＰ１００の装置識別情報を選択する。ユーザーが接続先の装置としてＭＦＰ１００の装置識別情報を接続先指定画面で指定する場合、通信確立部は、無線ＬＡＮＩ／Ｆ２１８を制御して、ＭＦＰ１００に接続要求を送信し、ＭＦＰ１００からの応答に応じて、ＭＦＰ１００との間の通信を確立する。
【０１５１】
一方、ＭＦＰ１００が備えるＣＰＵ１１１は、図５を参照して、装置検出部５１が、データ通信制御部１１７が、携帯情報装置２００から接続要求を受信することに応じて、応答信号を携帯情報装置２００に返信する。これにより、ＭＦＰ１００と携帯情報装置２００との間で、通信が確立する。ＭＦＰ１００においは、接続要求を送信してきた携帯情報装置２００を通信相手として特定でき、携帯情報装置２００はユーザーにより指定されたＭＦＰ１００であって、かつＭＦＰ１００が応答を返信してきた場合に、ＭＦＰ１００を通信相手として特定できる。
【０１５２】
第２の変形例の場合においては、ＭＦＰ１００は、ＧＰＳセンサー１１９を備える必要はなく、また、携帯情報装置２００は、ＧＰＳセンサー２１９を備える必要はなない。
【０１５３】
＜第３の変形例＞
上述した実施の形態においては、携帯情報装置２００は、ＭＦＰ１００から表示ページ送信要求を受信する場合、ユーザーにより選択されたデータに含まれる複数ページのうち表示部２１６に表示している表示ページのページデータを送信するようにした。これに代えて、携帯情報装置２００からＭＦＰ１００に、ユーザーにより選択されたデータを送信しておき、携帯情報装置２００は、ＭＦＰ１００から表示ページ送信要求を受信する場合に、ユーザーにより選択されたデータに含まれる複数ページのうち表示部２１６に表示している表示ページを識別するためのページ識別情報（たとえば、ページ番号）を送信するようにしてもよい。
【０１５４】
なお、上述した実施の形態においては、プリントシステム１について説明したが、図７〜図９に示した画像形成処理をＭＦＰ１００，１００Ａ、１００Ｂそれぞれに実行させ、図１０に示した連携処理を携帯情報装置２００に実行させる画像形成方法として発明を捉えることができ、さらに、図７〜図９に示した画像形成処理をＭＦＰ１００，１００Ａ、１００Ｂそれぞれが備えるＣＰＵ１１１に実行させる画像形成プログラム、図１０に示した連携処理を携帯情報装置２００が備えるＣＰＵ２０１に実行させる連携プログラムとして発明を捉えることができるのは言うまでもない。
【０１５５】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【０１５６】
１  プリントシステム、３  ネットワーク、５  無線局、１００，１００Ａ，１００Ｂ  ＭＦＰ、２００  携帯情報装置、４００〜４０２  ＰＣ、９  操作パネル、１０  ＡＤＦ、１１  原稿給紙トレイ、２０  画像読取部、３０  画像形成部、４０  給紙部、４１  手差トレイ、４３Ａ，４３Ｂ，４３Ｃ  給紙トレイ、４５  後処理部、４７  ＰＩトレイ、１１Ａ，２０Ａ，４１Ａ，４７Ａ  センサー、５１  装置検出部、５３  位置検出部、５５  方向取得部、５７  設定部、５９  データ受信部、６１  合成部、６３  原稿読取制御部、６５  排紙制御部、６７  画像形成制御部、７１  位置基準設定部、７３  変更部、７５  表示ページ要求部、７７  全ページ要求部、１０１  メイン回路、１１１  ＣＰＵ、１１２  ＲＡＭ、１１３  ＲＯＭ、１１４  表示部、１１５  操作部、１１６  ＨＤＤ、１１７  データ通信制御部、１１８  外部記憶装置、１１８Ａ  ＣＤ−ＲＯＭ、１１９  ＧＰＳセンサー、１２２  ファクシミリ部、１２３  通信制御部、２００  携帯情報装置、２１１  検出センサー、２１２  カメラ、２１３  フラッシュメモリ、２１４  無線通信部、２１５  通話部、２１６  表示部、２１７  操作部、２１８  無線ＬＡＮＩ／Ｆ、２１９  ＧＰＳセンサー、２２１  傾き検出センサー、２５１  切換指示受付部、２５３  表示制御部、２５５  ページ単位送信部、２５７  表示ページ要求受信部、２５９  同期部、２６１  全ページ要求受信部、２６３  データ送信部、２６５  現在位置検出部、２６７  位置情報送信部、２６９  方向検出部、２６９  位置情報送信部、２７１  方向情報送信部。
【図１】
0005790340.tif 000002
【図２】
0005790340.tif 000003
【図３】
0005790340.tif 000004
【図４】
0005790340.tif 000005
【図５】
0005790340.tif 000006
【図６】
0005790340.tif 000007
【図７】
0005790340.tif 000008
【図８】
0005790340.tif 000009
【図９】
0005790340.tif 000010
【図１０】
0005790340.tif 000011